(57)【要約】【課題】自動ドア戸尻側防護柵に衝突防止機能以外に、表示機能を付加した表示機能を具備した自動ドア戸尻側防護柵を提供することを目的とする。【解決手段】自動ドアの嵌殺し戸と対峙させて設置される防護柵において、前記防護柵は、外周の額縁を支持するフレームの内側に発光パネルを配置し、発光パネルは、額縁の少なくとも相対向する二辺内に所定間隔でＬＥＤからなる光源を多数配置するとともに、導光パネルに表示板を積層して前記額縁にて包囲してなり、この発光パネルの光源からの光を導光パネルの辺部から入射して導光パネルの表示板面を発光表示させるようにする。【選択図】図１
0003151738.tif 000002
【実用新案登録請求の範囲】
【請求項１】
自動ドアの嵌殺し戸と対峙させて設置される防護柵において、前記防護柵は、外周の額縁を支持するフレームの内側に発光パネルを配置したことを特徴とする表示機能を具備した自動ドア戸尻側防護柵。
【請求項２】
発光パネルは、額縁の少なくとも相対向する二辺内に所定間隔でＬＥＤからなる光源を多数配置するとともに、導光パネルに表示板を積層して前記額縁にて包囲してなり、この発光パネルの光源からの光を導光パネルの辺部から入射して導光パネルの表示板面を発光表示させるようにしたことを特徴とする請求項１記載の表示機能を具備した自動ドア戸尻側防護柵。
【請求項３】
発光パネルは、片面のみを発光させるものからなることを特徴とする請求項１又は２記載の表示機能を具備した自動ドア戸尻側防護柵。
【請求項４】
発光パネルは、２枚重ねとして両面を発光させるものからなることを特徴とする請求項１又は２記載の表示機能を具備した自動ドア戸尻側防護柵。
【考案の詳細な説明】
【技術分野】
【０００１】
本考案は、建物の出入り口に設置され、表示機能を具備した自動ドアにおける戸尻側での衝突防止用の防護柵に関するものである。詳しくは、開放する際に開き戸の戸尻に人や物が衝突することを防止するため、嵌殺し戸に対峙するように設置されて、嵌殺し戸との間に戸袋空間を形成する防護柵であって、表示機能を具備した戸尻側防護柵に関するものである。
【背景技術】
【０００２】
建物の出入り口などに設置される自動ドアは、例えば図４（ａ）（ｂ）に示すように、出入り口となる開口部に固定された嵌殺し戸１と、通常時には前記開口部に位置して出入り口を閉鎖し、人や物の接近を感知すると左右に移動して出入り口を開放する開き戸２とで構成される。
【０００３】
このような自動ドアは、一般的には、開き戸２が屋内側になるように配置され、開閉する際には嵌殺し戸１の屋内側に沿って左右に移動する。しかるに、開き戸２の開放の際に嵌殺し戸１に物が立て掛けてあったり、自動ドアの動作に気がつかずに人が接近したりした場合には、開き戸２の戸尻に衝突して事故を起こすおそれがあった。このような事故を防止するためには、図４（ａ）（ｂ）に示すように、嵌殺し戸１に対峙した高さ１ｍ程度の防護柵３を設置して戸袋空間４に近づけないように形成していた（特許文献１）。
【０００４】
自動ドアのガラス面に広告その他の情報を表示する機能を有するものが知られている（特許文献２）。しかし、自動ドアは開閉移動するので、表示された情報が見づらいという問題点があった。
この点防護柵３は、嵌殺し戸１に対峙するように固定的に設置されているので、表示機能を具備せしめるのに好適であるが、設置に費用がかかるなどこれまでに防護柵３に表示機能を具備したものは存在しなかった。
【先行技術文献】
【特許文献】
【０００５】
【特許文献１】登録意匠第１３０４５３５号公報
【特許文献２】特開２００２−２６８５９７号公報
【考案の概要】
【考案が解決しようとする課題】
【０００６】
本考案は、自動ドア戸尻側防護柵に衝突防止機能以外に、表示機能を付加した表示機能を具備した自動ドア戸尻側防護柵を提供することを目的とするものである。
【課題を解決するための手段】
【０００７】
請求項１記載の考案は、自動ドアの嵌殺し戸と対峙させて設置される防護柵において、前記防護柵は、外周の額縁を支持するフレームの内側に発光パネルを配置したことを特徴とする表示機能を具備した自動ドア戸尻側防護柵である。
【０００８】
請求項２記載の考案は、請求項１の考案において、発光パネルは、額縁の少なくとも相対向する二辺内に所定間隔でＬＥＤからなる光源を多数配置するとともに、導光パネルに表示板を積層して前記額縁にて包囲してなり、この発光パネルの光源からの光を導光パネルの辺部から入射して導光パネルの表示板面を発光表示させるようにしたことを特徴とする表示機能を具備した自動ドア戸尻側防護柵である。
【０００９】
請求項３記載の考案は、請求項１又は２記載の考案において、発光パネルは、片面のみを発光させるものからなることを特徴とする表示機能を具備した自動ドア戸尻側防護柵である。
【００１０】
請求項４は、請求項１又は２記載の考案において、発光パネルは、２枚重ねとして両面を発光させるものからなることを特徴とする表示機能を具備した自動ドア戸尻側防護柵である。
【考案の効果】
【００１１】
請求項１記載の考案によれば、自動ドアの嵌殺し戸と対峙させて設置される防護柵において、前記防護柵は、外周の額縁を支持するフレームの内側に発光パネルを配置したので、防護柵の表示パネルに、自動ドアの開閉時に戸尻に近づくと危険であることが表示され、安全性がより確実になる。また、表示パネルに広告などの情報を表示すると、明るい屋外からもよく視認することができるようになるなど、危険防止以外の機能をも表示することができる。
【００１２】
請求項２、３及び４記載の考案によれば、発光パネルは、額縁の少なくとも相対向する二辺内に所定間隔でＬＥＤからなる光源を多数配置するとともに、導光パネルに表示板を積層して前記額縁にて包囲してなり、この発光パネルの光源からの光を導光パネルの辺部から入射して導光パネルの表示板面を発光表示させるようにしたので、少ない消費電力で効率的、かつパネル全体にむらなく発光表示をすることができる。
【図面の簡単な説明】
【００１３】
【図１】本考案による表示機能を具備した自動ドア戸尻側防護柵を示すもので、（ａ）は正面図、（ｂ）は平面図である。
【図２】図１におけるＡ−Ａ線の拡大断面図であり、（ａ）は実施例１のＡ−Ａ線の一部の拡大断面図、（ｂ）は実施例２のＡ−Ａ線の一部の拡大断面図、（ｃ）はさらに別の実施例のＡ−Ａ線の一部の拡大断面図である。
【図３】本考案による表示機能を具備した自動ドア戸尻側防護柵の制御装置を示すブロック図である。
【図４】（ａ）は、自動ドアと自動ドア戸尻側防護柵の正面図、（ｂ）はＢ−Ｂ線断面図である。
【考案を実施するための形態】
【００１４】
自動ドアの嵌殺し戸と対峙させて設置される防護柵において、前記防護柵は、外周の額縁を支持するフレームの内側に発光パネルを配置し、発光パネルは、額縁の少なくとも相対向する二辺内に所定間隔でＬＥＤからなる光源を多数配置するとともに、導光パネルに表示板を積層して前記額縁にて包囲してなり、この発光パネルの光源からの光を導光パネルの辺部から入射して導光パネルの表示板面を発光表示させるようにする。
【実施例１】
【００１５】
本考案による表示機能を具備した自動ドア戸尻側防護柵の実施例１を図面に基づいて説明する。自動ドア及び防護柵３の配置構成は、図４（ａ）（ｂ）に示したものと同様であり、嵌殺し戸１に対峙するように高さ１ｍ程度の防護柵３が設置されて戸袋空間４が形成されている。
図１は、本考案の表示機能を具備した自動ドア戸尻側防護柵を示すもので、アンカーボルト１３により床面１４に固着された２個のベース１５に、ステンレス製あるいはアルミニウム製のコ字型のフレーム１１が植立され、ベース１５の上部にはアンカーボルト１３を隠すベースカバー１６が取り付けられている。さらに、フレーム１１の床面１４から高さ１５ｃｍほどの位置には下桟１７が設けられている。この下桟１７にＵ字型の下枠３３が固着され、この下枠３３の内部に緩衝部材３１を介して周囲を額縁２３で保護した発光パネル１２が載置されている。この発光パネル１２の上方は、図２（ａ）に示すように、フレーム１１の左右の縦框に設けられたクランプ金具１８、１９に挟み込まれて支持されている。前記フレーム１１の上辺の角部は怪我等の防止のためＲ面取りが施されている。
【００１６】
前記発光パネル１２は、図２（ａ）に示す拡大断面図のように、導光パネル２１に、注意書き、広告等のフィルム２０を貼付した表示板２２を積層して構成されている。前記導光パネル２１は、例えば、厚さが６ｍｍのアクリル板からなる導光パネル本体２４と、この導光パネル本体２４の表示板２２側の表面を光拡散処理した光拡散層２５と、反対側の背面に貼付された光反射シート２６とで形成されている。この導光パネル２１は、後述する例によることもできる。
前記導光パネル２１、表示板２２、フィルム２０は、積層されて全周囲が額縁２３の溝３２により挟み込まれて保持されている。
【００１７】
前記額縁２３を構成する左右の縦枠の溝３２の内部には、予め額縁２３の長手方向に一定の間隔でＬＥＤからなる光源２８が多数配置され、この光源２８は図３に示すように制御装置２９を介して商用電源３０に接続されている。
前記制御装置２９は、例えば、周囲の明るさを検出して夜間等に点灯させる回路、タイマーにより所望の時間に点灯・消灯させる回路、防護柵３の近くに検知装置が設置され、人や物が近づくと一定時間だけ点灯させる回路、広告、注意書き等を目立たせるため点滅させる回路、複数の光源２８の発光パターンを変化させる回路等の１ないし複数の回路の組合せで構成できる。前記検知装置は、自動ドアと連動するようにしても良いし、別個に制御するものでも良い。
【００１８】
この発光パネル１２は、表示板２２が設けられた面を使用目的に応じて、屋内側又は屋外側へ向けて前記フレーム１１に取り付けられる。
フィルム２０に表示される広告、注意書き等の情報は、バックライトにより照らされるため、バックの色の濃くない図柄、あるいは透過式の写真や絵により表示されることが望ましい。
【００１９】
次に、この表示機能を具備した自動ドア戸尻側防護柵の作用について説明する。
電源を投入することにより光源２８が発光し、光源２８からの光は、導光パネル本体２４の内部を反射しながら進み、表面（発光する面）に到達した光は光拡散層２５により一部がパネル本体２４外に放射され、一部は乱反射してパネル本体２４の内部をさらに進む。背面（発光しない面）に到達した光は、光反射シート２６により全部が乱反射してパネル本体２４の内部をさらに進む。これによって、パネル本体２４の表面側が全体に亘ってむらなく発光し、表面側に設けられたフィルム２０に描かれた情報を浮かび上がらせる。
光反射シート２６は、前述のように光を導光パネル本体２４内に反射するだけでなく、フィルム２０に描かれた情報を背面側に透けてしまうことを防止する。
【００２０】
以上の実施例１では、屋外に面している場合は発光パネル１２に広告などを表示し、屋内に面している場合は発光パネル１２に「近づくと危険」などの注意喚起の案内を表示する。
【実施例２】
【００２１】
次に、本考案による自動ドアの衝突防止用防護柵の実施例２を説明する。
図２（ｂ）は、発光パネル１２の他の実施例を示す拡大断面図であり、自動ドア及び防護柵３の配置構成およびフレーム１１については実施例１と同様である。
実施例２では、発光パネル１２の導光パネル２１の発光を一方の面だけではなく、両面を発光させるように独立した２枚の導光パネル２１を重ねたものである。導光パネル２１の基本的な構成は、実施例１と同様であり、導光パネル本体２４の背面側を間に隙間をもって背中合わせにして構成している。そして、屋内側に面して注意喚起の表示をし、屋外側に面して広告表示をするなど異なる表示を同時に又はいずれか一方を選択的に表示することができる。２枚の導光パネル２１を常に同時に発光させる場合には、光源２８は、共用の１個だけであってもよい。
【００２２】
以上の実施例１及び２では、表示板２２にフィルム２０を貼付したが、本考案はこれに限られるものではなく、表示板２２に直接情報を描いても良い。また、図２（ｃ）に示すように、表示板２２と導光パネル２１の間にフィルム２０を挟み込むようにしても良く、この場合、表示板２２にフィルム２０を貼付する手数が省けるとともにフィルム２０の交換が極めて容易になる。
【００２３】
以上の実施例１及び２では、導光パネル本体２４の表面に直接光拡散層２５を形成し、背面に光反射シート２６を貼付するようにしたが、本考案はこれに限られるものではなく、導光パネル本体２４の表面に光拡散層２５と同様の機能を有する光拡散シートを貼付して光拡散効果をもたせ、背面に光反射シート２６に代えてアルミ蒸着などにより反射面を形成したものでも良い。
なお、導光パネル２１の表面の模様がフィルム２０側へ透けてしまうような場合には、導光パネル２１とフィルム２０の間に、光拡散シートを挟むこともできる。
【００２４】
以上の実施例１及び２では、額縁２３の左右縦枠にＬＥＤからなる光源２８を設けるようにしたが、本考案はこれに限られるものではなく、発光パネル１２の上下の２辺に光源２８を設けても良いし、高い輝度が必要な場合には、発光パネル１２の周囲４辺全部に設けても良い。
【００２５】
前記導光パネル２１の周囲の光源２８の配置されていない辺面には、光反射シート２６を貼付することが望ましい。
【符号の説明】
【００２６】
１…嵌殺し戸、２…開き戸、３…防護柵、４…戸袋空間、１１…フレーム、１２…発光パネル、１３…アンカーボルト、１４…床面、１５…ベース、１６…ベースカバー、１７…下桟、１８、１９…クランプ金具、２０…フィルム、２１…導光パネル、２２…表示板、２３…額縁、２４…導光パネル本体、２５…光拡散層、２６…光反射シート、２８…ＬＥＤからなる光源、２９…制御装置、３０…商用電源、３１…緩衝部材、３２…溝、３３…下枠。
【図１】
0003151738.tif 000003
【図２】
0003151738.tif 000004
【図３】
0003151738.tif 000005
【図４】
0003151738.tif 000006